(57)【特許請求の範囲】
【請求項１】
車載される再生機器本体と、該再生機器本体に対して着脱可能なフロントパネルとで構成された車載機器であって、
上記フロントパネルは、
上記再生機器本体に接続される第１の接続部と、
上記第１の接続部に結線されたメモリと、
上記メモリに結線され、信号入出力装置に接続される第２の接続部と、
上記メモリ及び上記第２の接続部における結線間に設けられ、上記メモリに対する、上記第２の接続部における信号の入出力を制御する制御部と、
上記第１の接続部及び上記メモリにおける結線間に設けられ、上記メモリから読み出された圧縮音声データを復元し、該復元された音声データを上記第１の接続部側に出力するデコード部と
を具える車載機器。
【請求項２】
上記第１の接続部及び上記第２の接続部には、電源端子がそれぞれ設けられ、
上記第２の接続部における上記電源端子及び上記メモリにおける間の電源ラインを、上記第１の接続部における上記電源端子及び上記メモリにおける間の電源ラインよりも優先するように、上記電源ラインを切り換える切換手段
をさらに具える請求項１に記載の車載機器。
【請求項３】
上記切換手段は、
上記第１の接続部の電源端子と、上記メモリとの間に設けられた第１のレギュレータと、
上記第２の接続部の電源端子と、上記メモリ及び上記制御部との間に設けられた第２のレギュレータと、
上記第１のレギュレータにおけるスタンバイ端子と、上記第２の接続部の電源端子との間に設けられた論理否定回路と
を具える請求項２に記載の車載機器。
【請求項４】
再生機器本体に対して着脱可能なフロントパネルであって、
上記再生機器本体に接続される第１の接続部と、
上記第１の接続部に結線されたメモリと、
上記メモリに結線され、信号入出力装置に接続される第２の接続部と、
上記メモリ及び上記第２の接続部における結線間に設けられ、上記メモリに対する、上記第２の接続部における信号の入出力を制御する制御部と、
上記第１の接続部及び上記メモリにおける結線間に設けられ、上記メモリから読み出された圧縮音声データを復元し、該復元された音声データを上記第１の接続部側に出力するデコード部と
を具えるフロントパネル。
【発明の詳細な説明】
【技術分野】
【０００１】
本発明は車載機器及びフロントパネルに関するものである。
【背景技術】
【０００２】
従来、車載用音響再生装置における音響再生状態の調整操作を行うためのコマンダを着脱自在な構成とし、当該コマンダに半導体メモリを内蔵したものが提案されている（例えば特許文献１参照）。
【特許文献１】特開２００２−１４９１９５公報
【発明の開示】
【発明が解決しようとする課題】
【０００３】
ところがかかる車載用音響再生装置では、再生装置本体に対する着脱部分として、音響再生状態の調整として回転式のコマンダが採用されているため、当該コマンダにおける回転構造と、当該コマンダを再生機器本体に対して着脱自在とするための構造とを個別に動作させ得る機械的構造が必要となる。したがって、この車載用音響再生装置では、部品点数が多くなると共に機械的構造部分が複雑となる。
【０００４】
また、この車載用音響再生装置では、コマンダが着脱自在となっているがその他のフロントパネル部分は取り付けたままとなるため、当該車載用音響再生装置を搭載した車両を駐車する等してその車両から離れた場合には、車載用音響再生装置自体が盗難される危険がある。
【０００５】
本発明は以上の点を考慮してなされたもので、簡易な構成で使い勝手を向上し得る車載機器及びフロントパネルを提案しようとするものである。
【課題を解決するための手段】
【０００６】
かかる課題を解決するため本発明においては、再生機器本体と、該再生機器本体に対して着脱可能なフロントパネルとで構成された車載機器であって、フロントパネルは、再生機器本体に接続される第１の接続部と、第１の接続部に結線されたメモリと、メモリに結線され、信号入出力装置に接続される第２の接続部と、メモリ及び第２の接続部における結線間に設けられ、メモリに対する、第２の接続部における信号の入出力を制御する制御部と、第１の接続部及びメモリにおける結線間に設けられ、メモリから読み出された圧縮音声データを復元し、該復元された音声データを第１の接続部側に出力するデコード部とを設けるようにした。
【０００７】
この車載機器では、フロントパネルの第２の接続部に信号入出力装置が接続された場合、制御部は、信号入出力装置から第２の接続部を介して入力された信号及びその書込命令に従って当該信号をメモリに書き込む。一方、制御部は、信号入出力装置から第２の接続部を介して入力された読出命令に従って対応する信号を読み出し、これを信号入出力装置に出力する。
【０００８】
従ってこの車載機器では、再生機器本体から脱したフロントパネルを車両とは離れた場所に盗難防止用として保管しておくことができ、またそのフロントパネルを保管する場合には、単に保管するのみならず、フロントパネル内のメモリに、再生機器本体で再生対象とすべき信号を読み書きすることができる。このようにしてこの車載機器では、再生機器本体に対する着脱部分をフロントパネルとすることによって、当該着脱部分の機械的構造を他の構造と個別に動作させることなく、フロントパネルを盗難防止用及び可搬性のメモリとして共用することができる。
【０００９】
また本発明は、再生機器本体に対して着脱可能なフロントパネルであって、再生機器本体に接続される第１の接続部と、第１の接続部に結線されたメモリと、メモリに結線され、再生機器本体以外の電子機器に接続される第２の接続部と、メモリ及び第２の接続部における結線間に設けられ、メモリに対する、第２の接続部における信号の入出力を制御する制御部と、第１の接続部及びメモリにおける結線間に設けられ、メモリから読み出された圧縮音声データを復元し、該復元された音声データを第１の接続部側に出力するデコード部とを設けるようにした。
【００１０】
従ってこのフロントパネルでは、第２の接続部に信号入出力装置が接続された場合、制御部は、信号入出力装置から第２の接続部を介して入力された信号及びその書込命令に従って当該信号をメモリに書き込む。一方、制御部は、信号入出力装置から第２の接続部を介して入力された読出命令に従って対応する信号を読み出し、これを信号入出力装置に出力する。
【００１１】
従ってこのフロントパネルは、再生機器本体から脱して車両とは離れた場所に盗難防止用として保管させておくことができ、また保管させる場合には、単に保管させておくのみならず、フロントパネル内のメモリに、再生機器本体で再生対象とすべき信号を読み書きすることができる。このようにしてこのフロントパネルを、再生機器本体に対する着脱部分とすることによって、当該着脱部分の機械的構造を他の構造と個別に動作させることなく、フロントパネルを盗難防止用及び可搬性のメモリとして共用することができる。
【発明の効果】
【００１２】
本発明によれば、再生機器本体に対する着脱部分をフロントパネルとすることによって、当該着脱部分の機械的構造を他の構造と個別に動作させることなく、フロントパネルを盗難防止用及び可搬性のメモリとして共用することができるようにしたので、簡易な構成で使い勝手を向上し得る車載機器及びフロントパネルを実現することができる。
【発明を実施するための最良の形態】
【００１３】
以下図面について、本発明の一実施の形態を詳述する。
【００１４】
（１）本実施の形態による車載機器の全体構成
図１において、車両に搭載された音響再生装置（以下、これを車載再生機器と呼ぶ）１を示す。この車載再生機器１は、本体部２と、当該本体部２に対して着脱可能なフロントパネル３とによって構成される。
【００１５】
本体部２は、略長方形状でなり、フロントパネル３が装着される面（以下、これを本体側装着面と呼ぶ）２Ａには、ＤＶＤ（Digital Versatile Disc）、ＣＤ（Compact Disc）又はＢＤ（Blue-ray Disc）等の光ディスクの装填口１１と、本体側コネクタ１２と、凸部１３と、パネル開閉部１４Ａ及び１４Ｂとが設けられている。
【００１６】
このパネル開閉部１４Ａ及び１４Ｂは、固定端を軸として、パネル対向面２Ａに対して水平となる方向から、パネル対向面２Ａに対して所定の角度を形成する方向にまで開放端を回転可能に形成されている。
【００１７】
一方、フロントパネル３は、薄型略長方形状でなり、本体部２に装着される面（以下、これをパネル側装着面と呼ぶ）３Ａには、本体側コネクタ１４に対応するパネル側コネクタ（図示せず）が設けられている。
【００１８】
またパネル側装着面３Ａと対向する面（以下、これをパネル表面と呼ぶ）３Ｂにおける中央近傍には、液晶ディスプレイ２１が設けられ、この液晶ディスプレイ２１の下側及び左右側には、この車載再生機器１における再生に関する各種機能を実行させるための複数の操作キーからなる操作部２２が設けられている。
【００１９】
さらにこの図１及び図２に示すように、フロントパネル３における長手方向の側面３Ｃ、３Ｄの下方には、本体部２におけるパネル開閉部１４Ａ及び１４Ｂの開放端と嵌合される嵌合部２３Ａ、２３Ｂがそれぞれ設けられ、一方の嵌合部２３Ｂの近傍には、嵌合位置を中心とする円弧状の固定ギヤ部２４が設けられている。
【００２０】
さらに短手方向の側面のうち、液晶ディスプレイ２１の下側となる側面（以下、これを短手下側側面と呼ぶ）３Ｅには、ＵＳＢ(Universal Serial Bus)コネクタ２５が設けられており、またこのフロントパネル３の内部には、フラッシュメモリ（図示せず）が設けられている。
【００２１】
この車載再生機器１では、本体側装着面２Ａ及びパネル側装着面３Ａを対向させた状態で本体部２に対してフロントパネル３が装着されている場合、本体部２におけるパネル開閉部１４Ａ及び１４Ｂと、フロントパネル３における嵌合部２３Ａ及び２３Ｂとは嵌合状態にあり、本体側コネクタ１４とパネル側コネクタ（図示せず）とにおける対応する端子が電気的に接続された状態にある。
【００２２】
この場合、車載再生機器１は、装填口１１を介して装填された光ディスク又はフロントパネル３内のフラッシュメモリ（図示せず）に記録された音響データ、動画データ又は静止画像データ等のコンテンツデータを、操作部２２の操作に応じて再生し、また操作部２２の操作内容や、コンテンツデータの再生状態などを液晶ディスプレイ２１に表示し得るようになされている。
【００２３】
またこの場合に、フロントパネル３におけるオープンボタン２２Ｘが押圧されると、当該オープンボタン２２Ｘが本体部２の凸部１３を押圧する。この凸部１３の押圧に応じて、パネル開閉部１４Ａ及び１４Ｂでは、固定端を軸として開放端が回転する。この回転に応じて、開放端に嵌合する嵌合部２３Ａ及び２３Ｂを介して、フロントパネル３が、本体部２の本体側装着面２Ａから離間する方向に、固定ギヤ部２４におけるギヤ溝への係合状態に応じて段階的に倒れる。この結果、本体部２の本体側装着面２Ａが露出した状態となる。
【００２４】
この状態においてこの車載再生機器１は、装填された光ディスクを装填口１１から排出し、また装填口１１を介して光ディスクを装填し得るようになされている。ちなみに、光ディスクの排出は、本体側装着面２Ａにイジェクトボタンを設けることによって手動としてもよく、凸部１３の押圧に連動させて自動とするようにしてもよい。
【００２５】
なお、この車載再生機器１では、本体部２に対してフロントパネル３が装着されている場合、ＵＳＢコネクタ２５は、液晶ディスプレイ２１の下側となる側面３Ｅに設けられているため、車両の搭乗者に対して死角となる。したがって、車載再生機器１は、フロントパネル３の使用時には、あたかもＵＳＢコネクタ２５が設けられていないように、体裁上すっきりさせることができるようになされている。
【００２６】
一方、この車載再生機器１は、本体部２に対してフロントパネル３が脱されている場合、当該フロントパネル３を、車両とは離れた場所に盗難防止用として保管しておくことができるようになされている。
【００２７】
この場合、フロントパネル３は、ＵＳＢコネクタ２５にＵＳＢケーブル（図示せず）を介して接続された例えばパーソナルコンピュータやＰＤＡ(Personal Digital Assistants)等の端末装置（図示せず）から転送されるコンテンツデータを、内部のフラッシュメモリ（図示せず）に記録し得るようになされている。
【００２８】
一方、フロントパネル３は、内部のフラッシュメモリに記録されたコンテンツデータを消去し、あるいは当該コンテンツデータを再生してＵＳＢコネクタ２５から端末装置に転送し得るようになされている。
【００２９】
（２）フロントパネルの回路構成
次に、かかるフロントパネル３の回路構成を説明する。図１及び図２との対応部分に同一符号を付した図３に示すように、パネル側装着面３Ａ（図１）に設けられたパネル側コネクタ２６の端子「LCD」、「KEY」は、液晶ディスプレイ２１及び操作部２２と結線される。
【００３０】
またこのパネル側コネクタ２６にはコンテンツデータの出力端子が設けられており、この実施の形態の場合では、２チャンネル分の音響データの出力端子及びグランド端子「AU_Ｌ」「AU_R」「AU_ GND」がコンテンツデータの出力端子として採用される。この出力端子は、Ｄ／Ａ (Digital/Analog)変換部３１を介してデコード部３２と結線される。
【００３１】
このデコード部３２は、コンテンツデータに対して、所定の圧縮方式に準拠した伸長処理を施すものであり、この実施の形態の場合では、例えばＭＰ３(Moving Picture Experts Group Layer-3)及びＷＭＡ(Windows（登録商標） Media Audio)の音声圧縮方式に準拠した伸長処理を施すものが採用されている。またこのデコード部３２は、パネル側コネクタ２６のうち、コマンドの入出力端子「SI」「SO」と結線されると共に、フラッシュメモリ３３と結線される。
【００３２】
さらにこのパネル側コネクタ２６における電源端子「POWER」は、液晶ディスプレイ２１と結線されると共に、第１のレギュレータ３４における入力端「Vin」及び出力端「Vout」を介してデコード部３２と結線され、当該出力端「Vout」から逆流防止ダイオードＤＤ１を介してフラッシュメモリ３３と結線される。
【００３３】
一方、短手下側側面３Ｅに設けられたＵＳＢコネクタ２５における電源端子「VBus」は、第２のレギュレータ３５における入力端「Vin」及びスタンバイ端子「STBY」と結線されると共に、論理否定回路３６を介して第１のレギュレータ３４のスタンバイ端子「STBY」と結線される。
【００３４】
これに加えてＵＳＢコネクタ２５における電源端子「VBus」は、第２のレギュレータ３５における入力端「Vin」及び出力端「Vout」を介してデータ入出力制御部３７と結線されると共に、当該出力端「Vout」から逆流防止ダイオードＤＤ２を介してフラッシュメモリ３３と結線される。
【００３５】
またＵＳＢコネクタ２５におけるデータ入出力端子「D-」、「D+」は、データ入出力制御部３７を介してフラッシュメモリ３３と結線される。
【００３６】
このフロントパネル３では、ＵＳＢコネクタ２５に対して端末装置が未接続の状態で、パネル側コネクタ２６に対して本体側コネクタ１２（図１）が接続（即ち本体部２に装着）されている場合、本体部２からパネル側コネクタ２６の電源端子「POWER」を介して入力される電源は、液晶ディスプレイ２１に供給されると共に、第１のレギュレータ３４を介してデコード部３２及びフラッシュメモリ３３に供給される。なお、データ入出力制御部３７及び第２のレギュレータ３５への電源の逆流は、逆流防止ダイオードＤＤ２によって防止される。
【００３７】
この場合、液晶ディスプレイ２１は、本体部２からパネル側コネクタ２６の端子「LCD」を介して供給される表示データに基づく表示内容を液晶ディスプレイ２１に表示する。一方、操作部２２は、操作キーを介して入力された対応するコマンドＣＯＭ１をパネル側コネクタ２６の端子「KEY」を介して本体部２に出力する。
【００３８】
他方、デコード部３２は、本体部２から入力端子「SI」を介してコマンドＣＯＭ２を受けたときには、当該コマンドに対応する処理を実行すると共に、当該コマンドに対する応答を応答データＤ１として本体部２に送出する。
【００３９】
例えば、コマンドＣＯＭ２が再生コマンドであった場合、デコード部３２は、再生コマンドに対応する音響圧縮データＣＳＤＤをフラッシュメモリ３３から読み出し、当該音響圧縮データＣＳＤＤに対して、対応する方式に従って伸長処理を施し、得られた音響データＳＤＤをＤ／Ａ変換部３１に送出する。この場合、音響データＳＤＤは、Ｄ／Ａ変換部３１において音響信号ＳＤＳに変換され、パネル側コネクタ２６の出力端子「AU_Ｌ」「AU_R」を介して本体部２に出力される。
【００４０】
また例えば、コマンドＣＯＭ２が削除コマンドであった場合、デコード部３２は、削除コマンドに対応する音響圧縮データＣＳＤＤをフラッシュメモリ３３から消去するようになされている。
【００４１】
このようにしてこのフロントパネル３は、ＵＳＢコネクタ２５に対して端末装置が未接続の状態で、本体部２に装着されている場合には、操作部２２の操作に応じて、フラッシュメモリ３３に記録された音響圧縮データＣＳＤＤを再生又は消去し、また操作部２２の操作内容や、音響圧縮データＣＳＤＤの再生状態などを液晶ディスプレイ２１に表示することができるようになされている。
【００４２】
また、このフロントパネル３では、パネル側コネクタ２６に対して本体側コネクタ１２（図１）が未接続（即ち本体部２から脱された）状態で、ＵＳＢコネクタ２５に対してＵＳＢケーブルを介して端末装置が接続されている場合、当該端末装置からＵＳＢコネクタ２５の電源端子「VBus」を介して入力される電源は、第２のレギュレータ３５を介してデータ入出力制御部３７及びフラッシュメモリ３３に供給される。なお、デコード部３２及び第１のレギュレータ３４への電源の逆流は、逆流防止ダイオードＤＤ１によって防止される。
【００４３】
この場合、データ入出力制御部３７は、端末装置からＵＳＢケーブルを介してＵＳＢコネクタ２５のデータ入出力端子「D-」、「D+」から供給される音響圧縮データＣＳＤＤをフラッシュメモリ３３に記録し、またフラッシュメモリ３３に記録された音響圧縮データＣＳＤＤを消去し得るようになされている。
【００４４】
またデータ入出力制御部３７は、フラッシュメモリ３３に記録された音響圧縮データＣＳＤＤを再生し、これをデータ入出力端子「D-」、「D+」からＵＳＢケーブルを介して端末装置に転送し得るようになされている。
【００４５】
このようにしてこのフロントパネル３は、本体部２から脱された状態で、ＵＳＢコネクタ２５に対して端末装置が接続されている場合には、音響圧縮データＣＳＤＤをフラッシュメモリ３３に記録し、当該フラッシュメモリ３３に記録された音響圧縮データＣＳＤＤを消去又は端末装置に転送することができるようになされている。
【００４６】
またこの場合、フロントパネル３は、フラッシュメモリ３３に対する記録再生処理に関与しない液晶ディスプレイ２１、操作部２２及びデコード部３２への電源供給を防止し、消費電力化を図ることができるようになされている。
【００４７】
さらに、このフロントパネル３では、パネル側コネクタ２６に対して本体側コネクタ１２（図１）が接続（即ち本体部２に装着）されている状態で、ＵＳＢコネクタ２５に対して端末装置が接続された場合、当該端末装置からＵＳＢコネクタ２５の電源端子「VBus」を介して入力される電源は、論理否定回路３６を介して第１のレギュレータ３４のスタンバイ端子「STBY」に供給され、当該スタンバイ端子「STBY」がオン状態となる。
【００４８】
この結果、本体部２からパネル側コネクタ２６を介して入力される電源は、液晶ディスプレイ２１、デコード部３２及びフラッシュメモリ３３に供給されずに、端末装置からＵＳＢコネクタ２５の電源端子「VBus」を介して入力される電源が、第２のレギュレータ３５を介してデータ入出力制御部３７及びフラッシュメモリ３３に供給されることとなる。
【００４９】
したがって、この場合におけるフロントパネル３では、フラッシュメモリ３３に記録された音響圧縮データＣＳＤＤに対する再生又は消去については、操作部２２で操作することができず、ＵＳＢコネクタ２５に接続された端末装置での操作が優先されることとなる。
【００５０】
このようにしてこのフロントパネル３は、パネル側コネクタ２６及びＵＳＢコネクタ２５の双方が接続されている場合には、当該ＵＳＢコネクタ２５の電源を優先的に用いて、操作部２２からの操作を受け付けることなく、そのＵＳＢコネクタ２５に接続された端末装置からの操作を受け付けるようになされている。
【００５１】
（２）本実施の形態の動作及び効果
以上の構成において、この車載再生機器１は、本体部２と、当該本体部２に対して着脱可能なフロントパネル３とによって構成し、当該フロントパネル３には、フラッシュメモリ３３を設ける。
【００５２】
そしてこのフラッシュメモリ３３を、本体部２の本体側コネクタ１２に接続されるパネル側コネクタ２６と、ＵＳＢコネクタ２５とに結線し、当該フラッシュメモリ３３及びＵＳＢコネクタ２５の結線間に、フラッシュメモリ３３に対する、ＵＳＢコネクタ２５におけるデータ入出力を制御するデータ入出力制御部３７を設ける。
【００５３】
この車載再生機器１では、フロントパネル３のＵＳＢコネクタ２５に端末装置が接続された場合、データ入出力制御部３７は、端末装置からＵＳＢコネクタ２５を介して入力された音響圧縮データＣＳＤＤ及びその書込命令に従って当該音響圧縮データＣＳＤＤをフラッシュメモリ３３に書き込む。一方、データ入出力制御部３７は、端末装置からＵＳＢコネクタ２５を介して入力された読出命令に従って対応する音響圧縮データＣＳＤＤを読み出し、これを端末装置に出力する。
【００５４】
従ってこの車載再生機器１では、本体部２から脱したフロントパネル３を車両とは離れた場所に盗難防止用として保管しておくことができ、またそのフロントパネル３を保管する場合には、単に保管するのみならず、フロントパネル３内のフラッシュメモリ３３に、本体部２での再生対象とすべき音響圧縮データＣＳＤＤを読み書きすることができる。
【００５５】
この点、特許文献１として開示した車載用音響再生装置では、コマンダが着脱自在となっているがその他のフロントパネル部分は取り付けたままとなるため、当該車載用音響再生装置を搭載した車両を駐車してその車両から離れた場合等には、車載用音響再生装置自体が盗難される危険がある。
【００５６】
またこの車載用音響再生装置では、着脱自在のコマンダにメモリが搭載されているため、もはや車載用音響再生装置本体の部品としてというよりかは可搬性のメモリとしての用途性が強い。これでは、車載用音響再生装置にとってみれば、本体側にメモリスロットを設ける構成としたほうが、可搬性のメモリが数多く流通している今日では、車載用音響再生装置としての構成をそのままにしておくことができるので、いたずらに煩雑化しなくてすむ。
【００５７】
一方、車載用音響再生装置のフロントパネルを着脱自在とし、このフロントパネルの所定位置にメモリスロットを設けるといった構成を採用すると、当該車載用音響再生装置からフロントパネルを脱したときには、当該フロントパネルを保管するだけの用途となるので、従来と変わらない状態となる。
【００５８】
これに対し、この車載再生機器１では、本体部２に対する着脱部分をフロントパネル３とすることによって、当該着脱部分の機械的構造を他の構造と個別に動作させることなく、フロントパネル３を盗難防止用及び可搬性のフラッシュメモリ３３として共用することができる。
【００５９】
また、このフロントパネル３には、パネル側コネクタ２６及びフラッシュメモリ３３における結線間に、当該フラッシュメモリ３３から読み出された音響圧縮データＣＳＤＤを復元し、該復元された音響データＳＤＤを本体側コネクタ１２側に出力するデコード部３２を設けられている。
【００６０】
したがって、この車載再生機器１では、デコード部３２を設けない場合に比して、本体側コネクタ１２及びパネル側コネクタ２６における端子数を削減することができ、この結果、コネクタ１２、２６の部品点数を削減できる。
【００６１】
さらに、このフロントパネル３には、ＵＳＢコネクタ２５における電源端子及びフラッシュメモリ３３間の電源ラインを、パネル側コネクタ２６における電源端子及びフラッシュメモリ３３における間の電源ラインよりも優先するように、当該電源ラインを切り換える切換手段として、第１及び第２のレギュレータ３４、３５及び論理否定回路３６が設けられている。
【００６２】
したがって、この車載再生機器１では、フロントパネル３にフラッシュメモリ３３を設けた特質を優先的に用いることができる。
【００６３】
以上の構成によれば、本体部２に対する着脱部分をフロントパネル３とすることによって、当該着脱部分の機械的構造を他の構造と個別に動作させることなく、フロントパネル３を盗難防止用及び可搬性のフラッシュメモリ３３として共用することができるようにしたので、簡易な構成で使い勝手を向上し得る車載再生機器１を実現することができる。
【００６４】
（３）他の実施の形態
上述の実施の形態においては、デコード部として、ＭＰ３(Moving Picture Experts Group Layer-3)及びＷＭＡ(Windows（登録商標） Media Audio)と呼ばれる音声圧縮符号化方式に対応する音響圧縮データＣＳＤＤを復元するデコード部３２を適用するようにした場合について述べたが、本発明はこれらの一部もしくは全部に代えて、又はこれらに加えて、例えばＡＴＲＡＣ(Adaptive TRansform Acoustic Coding)や、オッグボルビス(Ogg Vorbis)等この他種々の音声圧縮符号化方式に対応する音響圧縮データを復元するデコード部を適用するようにしてもよい。
【００６５】
また、デコード部３２に代えて、又は加えて、例えばＭＰＥＧあるいはＪＰＥＧ(Joint Photographic Experts Group)と呼ばれる画像圧縮符号化方式に対応する画像（動画又は静止画）圧縮データを復元するデコード部を適用するようにしてもよい。
【００６６】
また上述の実施の形態においては、本体部２に装填される光ディスクに記録されたデータ対するデコードについては説明しなかったが、当該光ディスクに記録されたデータに対するデコード部を、当該デコード部３２とは別に本体部２に設けるようにしてもよく、当該デコード部３２と共用するようにしてもよい。また本体部２にデコード部３２とは別のデコード部を設ける場合、画像圧縮データを復元するデコード部を適用するようにしてもよく、当該デコード部３２と同様に、音響圧縮データを復元するデコード部を適用するようにしてもよい。
【００６７】
さらに上述の実施の形態においては、パネル側コネクタ２６にはコンテンツデータの出力端子として、２チャンネル分の音響データの出力端子及びグランド端子「AU_Ｌ」「AU_R」「AU_ GND」を採用するようにした場合について述べたが、本発明はこれに限らず、５．１チャンネル分の音響データの出力端子及びグランド端子を採用するようにしてもよく、これらに映像用の出力端子を加えるようにしてもよい。
【産業上の利用可能性】
【００６８】
本発明は、車載機器におけるフロントパネルが着脱可能にされた車載機器に利用可能である。
【図面の簡単な説明】
【００６９】
【図１】本実施の形態による車載再生機器（１）を示す略線図である。
【図２】車載再生機器（２）を示す略線図である。
【図３】フロントパネルの回路構成を示すブロック図である。
【符号の説明】
【００７０】
１……車載機器、２……本体部、３……フロントパネル、２１……液晶ディスプレイ、２２……操作部、２５……ＵＳＢコネクタ、２６……パネル側コネクタ、３１……Ｄ／Ａ変換部、３２……デコード部、３３……フラッシュメモリ、３４……第１のレギュレータ、３５……第２のレギュレータ、３６……論理否定回路、３７……データ入出力制御部、ＤＤ１、ＤＤ２……逆流防止ダイオード。
【図１】
0004824403.tif 000002
【図２】
0004824403.tif 000003
【図３】
0004824403.tif 000004